(57)【要約】【課題】装置の小型化と、液晶パネルの耐熱性向上及びバックライトの放熱性の確保とを両立させるＨＵＤを提供する。【解決手段】ヘッドアップディスプレイは、バックライト、液晶パネル、ヒートシンク、及び液晶パネルの出射面とヒートシンクとを連結するプレートと、を備え、プレートは、空気よりも熱伝導率が大きい材質により形成され、直接又は空気よりも熱伝導率が大きい材質を媒介して出射面の周囲に固定される保持領域及び当該保持領域とヒートシンクとを連結する中間領域とを含み、中間領域における保持領域が位置する側とは反対側の端部は、ヒートシンクに直接又は空気よりも熱伝導率が大きい材質を媒介して連結され、出射面からプレートを経由してヒートシンクに至るまでの出射面排熱経路であって、出射面から空気を媒質としてヒートシンクに伝熱する伝熱経路よりも熱勾配が大きい出射面排熱経路が形成される。【選択図】図４
2020160415.tif 000002
【特許請求の範囲】
【請求項１】
運転者に対して虚像を表示するヘッドアップディスプレイであって、
バックライト、液晶パネル、及び液晶パネルにおける映像光の出射面の周囲を保持するプレートを含む映像表示装置と、
前記液晶パネルから出射した映像光が透過するレンズ及び前記映像光を反射して前記映像光の光路を形成する凹面ミラーを含む虚像光学系と、
前記虚像光学系を収容する筐体と、
前記バックライトから発生する熱を放熱するヒートシンクと、を備え、
前記ヒートシンクは、前記ヒートシンクの少なくとも一部領域を前記筐体外に露出して配置され、
前記プレートは、空気よりも熱伝導率が大きい材質により形成され、直接又は空気よりも熱伝導率が大きい材質を媒介して前記出射面の周囲に固定される保持領域及び当該保持領域と前記ヒートシンクとを連結する中間領域を含み、前記中間領域における前記保持領域とは反対側の端部は、前記ヒートシンクに直接又は空気よりも熱伝導率が大きい材質を媒介して連結され、前記出射面から前記プレートを経由して前記ヒートシンクに至るまでの出射面排熱経路であって、前記出射面から空気を媒質として前記ヒートシンクに伝熱する伝熱経路よりも熱勾配が大きい出射面排熱経路が形成される、
ことを特徴とするヘッドアップディスプレイ。
【請求項２】
請求項１に記載のヘッドアップディスプレイであって、
前記ヒートシンクは、前記出射面から出射する前記映像光の光路から退避した位置にあり、
前記プレートは、前記出射面の大きさと同じ又はそれよりも大きい開口部を備えた一つの部材により構成される、
ことを特徴とするヘッドアップディスプレイ。
【請求項３】
請求項２に記載のヘッドアップディスプレイであって、
前記ヒートシンクは、前記出射面の延長面と交わる位置に配置され、
前記プレートは、前記出射面の大きさと同じ又はそれよりも大きい開口部を備えた平面状部材により構成される、
ことを特徴とするヘッドアップディスプレイ。
【請求項４】
請求項１に記載のヘッドアップディスプレイであって、
前記ヒートシンクは、前記筐体の外に露出するフィンと、前記筐体内に収容され前記フィンに前記バックライトの熱を伝熱する伝熱板と、を含み、
前記バックライトは、前記伝熱板に接触させて配置される、
ことを特徴とするヘッドアップディスプレイ。
【発明の詳細な説明】
【技術分野】
【０００１】
本発明は、ヘッドアップディスプレイに関する。
【背景技術】
【０００２】
自動車等の乗り物において、通常は、車速やエンジン回転数等の情報は、ダッシュボード内の計器盤（インパネ）に表示される。また、カーナビゲーション等の画面は、ダッシュボードに組み込まれもしくはダッシュボード上に設置されたディスプレイに表示される。運転者がこれらの情報を視認する場合に視線を大きく移動させることが必要となることから、車速等の情報やカーナビゲーションに係る指示等の情報をフロントガラス（ウィンドシールド）等に投射して虚像を表示するヘッドアップディスプレイ（Head Up Display、以下では「ＨＵＤ」と記載する場合がある）が知られている。
【０００３】
自動車が、炎天下に長時間駐車されることにより、ＨＵＤに備えられた液晶パネル（ＬＣＤパネル）の表面の温度が偏光板の耐熱温度以上に上昇し、破損する恐れがある。そこで、ＬＣＤパネルを冷却する必要がある。特に、太陽光がＨＵＤの映像光の出射光路を逆行して、ＨＵＤの筐体内に入射すると、映像光の出射光路に沿って配置された凹面ミラーやレンズにより集光され、ＬＣＤパネルの表面温度やＬＣＤパネルが設置されている環境温度が上昇し、ＬＣＤパネル表面の偏光板の耐熱温度を超える恐れがある。
【０００４】
そこで、特許文献１には、表示装置の耐熱性を向上させるための技術として、「表示ユニットは、画像に対応する表示光を発する表示面を含む表示部材と、表示部材の表示面の、表示領域を通過する表示光を遮らない位置に配置される熱伝導性をもつ蓄熱部材と、表示部材と蓄熱部材の間に設けられる熱伝導性接着剤から組成される熱伝導性接着層と、を備える（要約抜粋）」との記載がある。
【先行技術文献】
【特許文献】
【０００５】
【特許文献１】特開２０１８−３６３７９号公報
【発明の概要】
【発明が解決しようとする課題】
【０００６】
ＨＵＤ内の表示面の温度上昇をもたらすものは、ＨＵＤ内に入射する太陽光だけではない。一般に表示装置として液晶パネルが用いられるが、バックライトとしてＬＥＤが用いられることがある。ＬＥＤが発光する際に発熱するので、この熱によっても液晶パネルの温度が上昇する。従って、ＨＵＤ内の液晶パネルの耐熱性を向上させるためには、太陽光による影響だけでなく、バックライトが生じさせる熱の影響も考慮する必要がある。
【０００７】
そこで、バックライトから生じる熱をヒートシンクから放熱することも行われているが、ＨＵＤはダッシュボードに収容して使用するのでダッシュボードの空間が狭いことから、ＨＵＤの大きさには制約がある。従って、ＨＵＤの限られた大きさを逸脱することなく、液晶パネルの耐熱性向上及びバックライトの放熱性能の確保を両立させたいという要望がある。
【０００８】
しかしながら特許文献１は、表示面についての耐熱性の向上だけを目的としており、上記要望に応えることができていない。
【０００９】
そこで本発明は、装置の小型化と、液晶パネルの耐熱性向上及びバックライトの放熱性の確保とを両立させるＨＵＤを提供することを目的とする。
【課題を解決するための手段】
【００１０】
上記課題を解決するために、本発明は、特許請求の範囲に記載の構成を有する。その一例をあげるならば、本発明は、運転者に対して虚像を表示するヘッドアップディスプレイであって、バックライト、液晶パネル、及び液晶パネルにおける映像光の出射面の周囲を保持するプレートを含む映像表示装置と、前記液晶パネルから出射した映像光が透過するレンズ及び前記映像光を反射して前記映像光の光路を形成する凹面ミラーを含む虚像光学系と、前記虚像光学系を収容する筐体と、前記バックライトから発生する熱を放熱するヒートシンクと、を備え、前記ヒートシンクは、前記ヒートシンクの少なくとも一部領域を前記筐体外に露出して配置され、前記プレートは、空気よりも熱伝導率が大きい材質により形成され、直接又は空気よりも熱伝導率が大きい材質を媒介して前記出射面の周囲に固定される保持領域及び当該保持領域と前記ヒートシンクとを連結する中間領域を含み、前記中間領域における前記保持領域とは反対側の端部は、前記ヒートシンクに直接又は空気よりも熱伝導率が大きい材質を媒介して連結され、前記出射面から前記プレートを経由して前記ヒートシンクに至るまでの出射面排熱経路であって、前記出射面から空気を媒質として前記ヒートシンクに伝熱する伝熱経路よりも熱勾配が大きい出射面排熱経路が形成される、ことを特徴とする。
【発明の効果】
【００１１】
本発明によれば、装置の小型化と、液晶パネルの耐熱性向上及びバックライトの放熱性の確保とを両立させるＨＵＤを提供することができる。なお、上述した以外の目的、構成、効果については下記実施形態において明らかにされる。
【図面の簡単な説明】
【００１２】
【図１】本実施形態に係るヘッドアップディスプレイ（ＨＵＤ）の概略構成図
【図２】ＨＵＤの外装筐体を中心とした外観の例を示した斜視図
【図３】図２に示したＨＵＤを各部品に分解した状態を示した斜視図
【図４】図３に示した映像表示装置を各部品に分解した状態を示した斜視図
【図５】図３のＡ−Ａ’断面図
【図６】従来の映像表示装置と本実施形態に係る発熱対策部品を備えた映像表示装置との冷却性能の比較例を示す図
【図７】ＬＣＤプレート（発熱対策部品）を備えた映像表示装置の一例を示す断面図
【図８】ＬＣＤプレート（発熱対策部品）を備えた映像表示装置の他例を示す断面図
【発明を実施するための形態】
【００１３】
以下、本発明の実施形態を図面に基づいて詳細に説明する。なお、実施形態を説明するための全図において、同一部材には原則として同一の符号を付し、その繰り返しの説明は省略する。一方で、ある図において符号を付して説明した部位について、他の図の説明の際に再度の図示はしないが同一の符号を付して言及する場合がある。また、以下に示す各実施形態では、ヘッドアップディスプレイ（ＨＵＤ）が自動車等の車両に設置される場合を例として説明するが、電車や航空機等の他の乗り物にも適用可能である。また、乗り物以外の用途に用いるＨＵＤにも適用可能である。
【００１４】
図１は、本実施形態に係るヘッドアップディスプレイ（ＨＵＤ）１の概略構成図である。図２は、ＨＵＤ１の外装筐体５０を中心とした外観の例を示した斜視図である。
【００１５】
図１に示すように、ＨＵＤ１は、液晶パネルを含む映像表示装置３０と、映像表示装置３０から出射される映像光を拡大するレンズユニット４３及び凹面ミラー４１を含む虚像光学系４０と、虚像光学系４０を収容する外装筐体５０とを備える。
【００１６】
映像表示装置３０は、ヒートシンク３１ｂの少なくとも一部領域を外装筐体５０の外部に露出させて外装筐体５０に取り付けられる（図２参照）。ヒートシンク３１ｂは、フィン３１ｂ２（図４参照）は外装筐体５０の外に露出させつつ、伝熱板３１ｂ１は外装筐体５０に収容されていてもよいし（図５参照）、伝熱板３１ｂ１及びフィン３１ｂ２を外装筐体５０の外に露出させてもよい（図８参照）。
【００１７】
凹面ミラー４１はミラー駆動部４２により回動する。これにより、凹面ミラー４１はウィンドシールド３に向けて映像光を反射する角度を変更する。映像光は凹面ミラー４１により反射され、車両２のウィンドシールド３に投射する。ウィンドシールド３に投射された映像光が運転者５の目に入射することで、運転者５は車両２の前方に虚像８０を視認する。
【００１８】
ここで、被投射部材はウィンドシールド３に限られず、映像光が投射される部材であれば、コンバイナなど他の部材とすることができる。また、本実施形態では、映像表示装置３０としてバックライト３１ａを有するプロジェクタやＬＣＤ（Liquid Crystal Display）を用いる。
【００１９】
凹面ミラー４１と映像表示装置３０との間には、凹面ミラー４１と映像表示装置３０の光学的な距離を調整するためのレンズユニット４３を備える。よって、映像表示装置３０からの映像光の出射方向に沿って、映像表示装置３０から近い順にレンズユニット４３及び凹面ミラー４１が配置されて虚像光学系４０を形成し、外装筐体５０の内部に収容される。
【００２０】
図３は、図２に示したＨＵＤ１を各部品に分解した状態を示した斜視図である。
【００２１】
図３に示すように、ＨＵＤ１は、外装ケース５４に光学部品保持部材５３が収納され、更に外装蓋部５１により上部が覆われる構成を有する。外装ケース５４及び外装蓋部５１の各部材は、図１に示したＨＵＤ１における外装筐体５０を構成する。そして、外装ケース５４の開口部には映像表示装置３０が装着される。
【００２２】
外装蓋部５１は、映像光をウィンドシールド３に向かって出射するための開口部を有し、当該開口部は防眩板５２（グレアトラップ）によって覆われている。
【００２３】
光学部品保持部材５３は、凹面ミラー４１及びレンズユニット４３を保持する部材である。
【００２４】
外装ケース５４には、バックライト３１ａ（図４参照）やバックライト３１ａ等の動作を制御する制御回路が実装されるメイン基板７０や、モータからなるミラー駆動部４２等の他の部品が取り付けられていてもよい。外装ケース５４には映像表示装置３０を取り付け及び取り外しすることができるように、ネジ穴等の着脱機構や、映像光が入射するための開口部等が形成されている。
【００２５】
本実施形態では、映像表示装置３０はモジュール化され、外装ケース５４に対してネジ等により一体的に取り付け及び取り外しが可能なように構成されている。これにより、例えば、ＨＵＤ１自体を取り外したり分解したりすることなく、映像表示装置３０のみを交換できるように構成することもできる。また、映像表示装置３０を、ＨＵＤ１の外装筐体５０の外部にヒートシンク３１ｂを露出させて取り付ける構成とすることで、放熱性を向上させ、熱による故障や劣化の低減という効果も得ることができる。
【００２６】
図４は、図３に示した映像表示装置３０を各部品に分解した状態を示した斜視図である。映像表示装置３０は、ＬＣＤパネル等の表示素子３３が、フレキシブルケーブル３４を介してメイン基板７０から入力された映像信号に基づいて、バックライト３１ａからの光を変調することで映像を表示する。表示された映像は、虚像光学系４０に出力され、運転者５が視認可能な虚像８０が生成される。
【００２７】
バックライト３１ａは、例えば、固体光源として比較的安価で信頼性の高いＬＥＤ（Light Emitting Diode）を用いる。バックライト３１ａは、高出力化するために面発光型とする。図４の例ではＬＥＤ基板として実装している。
【００２８】
ＬＥＤの入力電力に対する発光効率は、発光色によっても異なるが、２０〜３０％程度であり、残りはほとんどが熱に変換される。このため、バックライト３１ａを取り付けるフレーム３５は、空気よりも熱伝導率の高い部材（例えば、アルミニウム等の金属材料）を用いて構成される。そしてフレーム３５の下端にヒートシンク３１ｂに接続する。
【００２９】
バックライト３１ａからの発散光を効率よく表示素子３３に導くため、導光体３２ｂ及び拡散板３２ｃを用いている。この場合、塵などの付着を防止するため、例えば、外装部材３６ａ、３６ｂによって導光体３２ｂや拡散板３２ｃ、及び表示素子３３等の全体を覆い、映像表示装置３０としてモジュール化するのが望ましい。
【００３０】
表示素子３３は、映像光の出射面３３ａを構成する偏光板の周囲をＬＣＤプレート３３ｂで保持して構成される。
【００３１】
また、図４の例では、バックライト３１ａからの発散光を取り込んで平行光とするため、コリメートレンズ等からなる複数のライトファネル３２ａを設けている。各ライトファネル３２ａにおいてバックライト３１ａからの発散光を取り込む開口部は、例えば、平面とした上でバックライト３１ａとの間に媒質を挿入して光学的に接続する、もしくは、凸面形状として集光作用を持たせる。これにより、発散光を可能な限り平行光として、ライトファネル３２ａの界面に入射する光の入射角を小さくする。その結果、ライトファネル３２ａを通過後、更に発散角を小さくすることができるため、導光体３２ｂで反射した後に表示素子３３に向かう光源光の制御が容易となる。
【００３２】
更にバックライト３１ａからの発散光の利用効率を向上させるため、ライトファネル３２ａと導光体３２ｂの接合部分においてＰＢＳ（Polarizing Beam Splitter）を用いて偏光変換を行い、所望の偏光方向に変換する。これにより、表示素子３３への入射光の効率を向上させることができる。このように光源光の偏光方向を揃えた場合には、更に導光体３２ｂの素材として複屈折が少ない材料を用いるのが望ましい。これにより、偏波の方向が回転して表示素子３３を通過する場合において、例えば、黒表示時に色付き等の問題が発生するのを抑制することができる。
【００３３】
図５は、図３におけるＡ−Ａ’断面図であって、映像表示装置３０の構造を示す。映像表示装置３０は、ヒートシンク３１ｂ上にバックライト３１ａが配置され、バックライト３１ａ上にライトファネル３２ａが備えられる。ライトファネル３２ａから出射した光は、導光体３２ｂで拡散板３２ｃに向かって反射され、出射面３３ａに入射する。
【００３４】
映像表示装置３０は、出射面３３ａを含む平面の延長面上に交わる位置かつ映像光の光路から退避した位置にヒートシンク３１ｂが配置されている。
【００３５】
表示素子３３は、出射面３３ａを含む大きさの開口部を備えた板状のＬＣＤプレート３３ｂを出射面３３ａの前面（映像光の出射方向）に配置して構成される。ＬＣＤプレート３３ｂは、空気よりも熱伝導率が大きい材質を用いて構成される。
【００３６】
ＬＣＤプレート３３ｂは、出射面３３ａを形成する偏光板の周囲を保持する保持領域３３１と、保持領域３３１とヒートシンク３１ｂとを連結する中間領域３３２とを有する。
【００３７】
保持領域３３１の背面（出射面３３ａに対向する側の面）と出射面３３ａを形成する偏光板とは、直接接触又は空気よりも熱伝導率が大きい材質を介して固定される。図５ではＬＣＤプレート３３ｂと出射面３３ａとを当接させるが、図８に示すように空気よりも熱伝導率が大きい材質３８を介して出射面３３ａにＬＣＤプレート３３ｂを取り付けてもよい。
【００３８】
中間領域３３２は、出射面３３ａを含む平面と略平行な面として形成されると共に、出射面３３ａから出射する映像光の光路から退避した位置に形成される。中間領域３３２の下端部（保持領域３３１とは反対側に位置する端部）は、ヒートシンク３１ｂに直接接触、又は空気よりも熱伝導率が大きい材質を介して間接的に接触する。
【００３９】
ここでいう「空気よりも熱伝導率が大きい材質」とは、出射面３３ａが空気に曝露している領域から放熱し、空気を媒質としてヒートシンク３１ｂへ伝熱する伝熱経路よりも熱勾配が高い出射面排熱経路であって、出射面３３ａからＬＣＤプレート３３ｂの保持領域３３１及び中間領域３３２を経由してヒートシンク３１ｂへと伝熱する出射面排熱経路を形成できる材質であれば、その種類は問わない。例えば、アルミニウム、銅、鉄などの金属材料でもよいし、セラミック、カーボン、シリコン等の非金属材料でもよい。
【００４０】
ＬＣＤプレート３３ｂは、一つの部材に映像光の光路を形成する開口部を形成し、その一部領域からなる保持領域３３１と、他の一部領域からなる中間領域３３２とを含んで形成される。ＬＣＤプレート３３ｂは、保持領域３３１を出射面３３ａの周縁部に直接接触（密着）させ、中間領域３３２をヒートシンク３１ｂに直接接触（密着）させる。なお、ここでいう一つの部材とは、一つの板状部材を用いて平面状に形成されている構造に限定する趣旨ではなく、一つの部材により形成されてＬＣＤプレート３３ｂ内に複数部材を連結して構成することにより生じる界面熱抵抗が発生しない構造を全て含む意味である。
【００４１】
ＬＣＤプレート３３ｂが、一枚の板状部材で形成されることにより、保持領域３３１と中間領域３３２との間に界面熱抵抗が生じない。その結果、出射面３３ａからヒートシンク３１ｂに至る出射面排熱経路の界面熱抵抗の合計値は、出射面３３ａからＬＣＤプレート３３ｂへの界面熱抵抗と、ＬＣＤプレート３３ｂからヒートシンク３１ｂへの界面熱抵抗とに抑えることができ、他部材を介して出射面排熱経路を形成する場合に比べて熱伝導性を向上させることができる。
【００４２】
図６は、従来の映像表示装置と本実施形態に係る発熱対策部品を備えた映像表示装置３０との冷却性能の比較例を示す図である。図６において、左図は従来の映像表示装置（以下「従来品」という）、右図は本実施形態に係る映像表示装置３０を示す。二つの映像表示装置は、同一の環境条件に置き、バックライト３１ａを点灯させた。その結果、所定の試験条件（例えば環境温度２５℃でＬＣＤに集光する太陽光のエネルギーを試験条件とする）において、本実施形態に係る映像表示装置３０の出射面３３ａの表面温度は従来品に比べて７．６度、バックライト３１ａの表面温度は従来品に比べて１０．４度、ヒートシンク３１ｂの表面温度は従来品に比べて７．２度、それぞれ低かった。この結果から、出射面排熱経路を形成することにより、出射面３３ａだけでなく、バックライト３１ａ、及びヒートシンク３１ｂの冷却性能も向上したことがわかった。
【００４３】
本実施形態によれば、出射面３３ａの熱がＬＣＤプレート３３ｂを経由してヒートシンク３１ｂに導かれる。これにより、出射面３３ａの熱を外装筐体５０の外により効率的に放熱することができ、出射面３３ａの温度上昇を抑制することができる。
【００４４】
また、ヒートシンク３１ｂは、バックライト３１ａの熱対策として予め備えられた部材なので、これを用いて出射面３３ａを放熱することにより、現状ある部材を有効活用して出射面３３ａの温度上昇を抑制することができる。
【００４５】
また、ＬＣＤプレート３３ｂの中間領域３３２は、保持領域３３１とヒートシンク３１ｂとの間に設けられる。従来、この空間は有効利用されることがない、所謂空き領域であったので、外装筐体５０の内部を圧迫することなく（他の部材の配置位置を変えることなく）出射面排熱経路を形成することができる。これにより、外装筐体５０の大きさを変更することなく、出射面３３ａの温度上昇を抑制することができる。
【００４６】
更に、ＬＣＤプレート３３ｂをヒートシンク３１ｂに連結することで、ヒートシンク３１ｂの熱容量が増加する。これにより、ヒートシンク３１ｂによるバックライト３１ａの冷却効果も向上させることができる。
【００４７】
本発明は上記の実施形態に限定されるものではなく、その要旨を逸脱しない範囲で種々変更可能であることはいうまでもない。例えば、上記の実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００４８】
例えば、上記映像表示装置３０は、バックライト３１ａは面光源により構成し、その面光源の表面と出射面３３ａとは、異なる平面上にあることから発散光が出射面３３ａに入射するまでの光路は、導光体３２ｂにおいて変曲点を有する構成となっていた。
【００４９】
しかし、図７に示す映像表示装置３０ａのように、バックライト３１ａから出射した光の光路を曲げることなく出射面３３ａに入射させる、所謂直投型の映像表示装置３０ａにも、本発明は適用できる。図７の映像表示装置３０ａは、バックライト３１ａの幅方向（図７の左右方向）の略中心にライトファネル３２ａを備え、バックライト３１ａの幅方向の其々の端部にレンズ保持筐体３７ａを備える。レンズ保持筐体３７ａは、バックライト３１ａとは反対側においてレンズ３７を保持する。
【００５０】
レンズ３７における出射面上には、レンズ３７の径方向に沿った其々の端部に接触して立設する拡散板保持筐体３２ｃ１が備えらる。拡散板保持筐体３２ｃ１は、レンズ３７と反対側において拡散板３２ｃを保持する。拡散板３２ｃは、拡散板保持筐体３２ｃ１と反対側においてフレーム３５に接触し、フレーム３５は出射面３３ａを保持する。
【００５１】
バックライト３１ａを発せられた光源光は、ライトファネル３２ａを通過してレンズ３７で集光され、拡散板３２ｃで拡散して出射面３３ａを通過して出射する。
【００５２】
上記構造に示す通り、映像表示装置３０ａにおいて出射面３３ａは、発熱体となるバックライト３１ａを介してヒートシンク３１ｂとは反対側に位置する。そこで、ＬＣＤプレート３３ｂの中間領域３３２は、保持領域３３１と、バックライト３１ａの側部を囲ってヒートシンク３１ｂとを連結する。これにより、ヒートシンク３１ｂと出射面３３ａとの位置関係が上記実施形態と異なっても出射面排熱経路を形成し、ヒートシンク３１ｂから放熱させることができる。
【００５３】
また図８に示す映像表示装置３０ｂは、出射面３３ａの延長面上ではなく、延長面上から退避した位置にヒートシンク３１ｂが備えられる。この映像表示装置３０ｂにおいても、ＬＣＤプレート３３ｂの中間領域３３２が、保持領域３３１とヒートシンク３１ｂとを連結することにより出射面排熱経路を形成する。これにより、ヒートシンク３１ｂの形状及び出射面３３ａに対する位置によらず、出射面排熱経路を形成することができる。
【００５４】
また、ＬＣＤプレート３３ｂの中間領域３３２は、ヒートシンク３１ｂに直接連結するだけではなく、空気よりも熱伝導率が大きい材質を用いて形成された熱伝導性シートを介して連結されもよい。
【符号の説明】
【００５５】
１        ：ＨＵＤ
２        ：車両
３        ：ウィンドシールド
５        ：運転者
３０      ：映像表示装置
３０ａ    ：映像表示装置
３０ｂ    ：映像表示装置
３１      ：ヒートシンク
３１ａ    ：バックライト
３１ｂ    ：ヒートシンク
３２ａ    ：ライトファネル
３２ｂ    ：導光体
３２ｃ    ：拡散板
３２ｃ１  ：拡散板保持筐体
３３      ：表示素子
３３ａ    ：出射面
３３ｂ    ：ＬＣＤプレート
３４      ：フレキシブルケーブル
３５      ：フレーム
３６ａ    ：外装部材
３６ｂ    ：外装部材
３７      ：レンズ
３７ａ    ：レンズ保持筐体
４０      ：虚像光学系
４１      ：凹面ミラー
４２      ：ミラー駆動部
４３      ：レンズユニット
５０      ：外装筐体
５１      ：外装蓋部
５２      ：防眩板
５３      ：光学部品保持部材
５４      ：外装ケース
７０      ：メイン基板
８０      ：虚像
３３１    ：保持領域
３３２    ：中間領域
【図１】
2020160415.tif 000003
【図２】
2020160415.tif 000004
【図３】
2020160415.tif 000005
【図４】
2020160415.tif 000006
【図５】
2020160415.tif 000007
【図６】
2020160415.tif 000008
【図７】
2020160415.tif 000009
【図８】
2020160415.tif 000010